(57)【要約】【課題】迅速に開閉扉を開閉できて操作性を向上する。【解決手段】開口枠Ｂｆに開閉自在な開閉扉Ｇに取り付けられるケース３と、該ケース３に出退自在に設けられて前記開口枠Ｂｆの穴部Ｂｈに係止可能なラッチバー７と、ラッチバー７を突出方向に付勢するバー付勢用ばね９と、ケース３に垂直軸５を介して回動自在に支持され前方の引出し時にラッチバー７を後退可能なハンドル６と、ラッチバー７を後退位置で固定するホールド部材１１と、開閉扉Ｇの閉動時に開口枠Ｂｆに当接することによりホールド部材１１からラッチバー７を解放して穴部Ｂｈに嵌入する解除レバー１５とを具備した。【選択図】        図１
2007046251.tif 000002
【特許請求の範囲】
【請求項１】
開口枠に開閉自在な開閉扉に取り付けられるケースと、
該ケースに出退自在に設けられて先端部を前記開口枠の穴部に係合可能な施錠バーと、
該施錠バーを突出方向に付勢する付勢部材と、
前記ケースに支軸を介して回動自在に支持され前方の引出し時に前記施錠バーを後退可能なハンドルと、
前記施錠バーを後退位置で固定するホールド部材と、
前記開閉扉の閉動時に開口枠に当接することにより、ホールド部材から施錠バーを解放して付勢部材により突出させ先端部を穴部に係合する解除部材とを具備した
平面ハンドル装置。
【請求項２】
解除部材は、ケースの後面に前後揺動自在に支持されて遊端部が開口枠に当接可能な解除レバーを有し、
前記解除レバーの遊端部に、開口枠との当接位置を調整可能な位置調整機構を介して当接部材を設けた
請求項１記載の平面ハンドル装置。
【請求項３】
開閉扉内に露出するケース後面側に施錠バーを設け、
前記施錠バーの基端部に、開閉扉の内側から把持して手動操作により施錠バーを後退可能な把手部を設けた
請求項２記載の平面ハンドル装置。
【請求項４】
施錠バーの中間部にばね受け部を介して施錠バーを突出方向に付勢する付勢部材であるバー付勢ばねを外嵌させるとともに、施錠バーの所定位置に被係止部を形成し、
ホールド部材に、施錠バーの前記被係止部に係合して施錠バーを後退位置で固定するストッパ部と、前記コイルばねの基端部を受け止める傾斜規制部とを設け、
前記ホールド部材に解除レバーを取り付けるとともに、前記ケースに前記傾斜規制部の先端部を受け止めて後退を規制するばね受部を設けることにより、バー付勢ばねのばね力により前記傾斜規制部を介してストッパ部を被係止部に係合する方向に揺動付勢するように構成した
請求項２または３記載の平面ハンドル装置。
【発明の詳細な説明】
【技術分野】
【０００１】
本発明は、配電盤や点検ボックスなどの開閉扉に装着され、非使用時にハンドルがケース内に没入される平面ハンドル装置に関する。
【背景技術】
【０００２】
従来の平面ハンドル装置は、たとえば特許文献１に示すように、ボックスの開閉扉に取付けられるケースの前面凹部に、枢軸周りに回動可能に支持されて前面凹部に収納可能なハンドルと、ハンドルの下部に設けられてハンドルを収納状態で掛止する押しボタンと、ケースの後面に装着されてハンドルの出し入れ動作により回動される止め金とを具備し、ハンドルの引出し動作により止め金をボックスの開口枠の溝から離脱する方向に回動させて、開閉扉を開けることができる。
【特許文献１】特許第３００２６７７号
【発明の開示】
【発明が解決しようとする課題】
【０００３】
上記構成において、開閉扉の開閉動作をそれぞれ２段階で行う必要があった。すなわち、開閉扉を開ける場合には、１）押しボタンを押してハンドルを開放し前方に飛び出させるとともに、止め金を回動させてボックスの係止溝から離脱させ、２）ハンドルを手に持って開閉扉を前方に引き出し開ける。また開閉扉を閉じる場合には、１）開閉扉を後方に押し込み開閉扉を閉じる。２）ハンドルをケースの前面凹部内に押し込んで収納し、止め金を開口枠の溝に係合する。このように開閉扉の開閉動作を２段階で行う必要があるため、迅速な開閉ができず、操作性のよい平面ハンドル装置が求められていた。
【０００４】
本発明は上記問題点を解決して、迅速に開閉扉を開閉できる操作性のよい平面ハンドル装置を提供することを目的とする。
【課題を解決するための手段】
【０００５】
請求項１記載の発明は、開口枠に開閉自在な開閉扉に取り付けられるケースと、該ケースに出退自在に設けられて先端部を前記開口枠の穴部に係合可能な施錠バーと、該施錠バーを突出方向に付勢する付勢部材と、前記ケースに支軸を介して回動自在に支持され前方の引出し時に前記施錠バーを後退可能なハンドルと、前記施錠バーを後退位置で固定するホールド部材と、前記開閉扉の閉動時に開口枠に当接することにより、ホールド部材から施錠バーを解放して付勢部材により突出させ先端部を穴部に係合する解除部材とを具備したものである。
【０００６】
請求項２記載の発明は、解除部材は、ケースの後面に前後揺動自在に支持されて遊端部が開口枠に当接可能な解除レバーを有し、前記解除レバーの遊端部に、開口枠との当接位置を調整可能な位置調整機構を介して当接部材を設けたものである。
【０００７】
請求項３記載の発明は、開閉扉内に露出するケース後面側に施錠バーを設け、前記施錠バーの基端部に、開閉扉の内側から把持して手動操作により施錠バーを後退可能な把手部を設けたものである。
【０００８】
請求項４記載の発明は、施錠バーの中間部にばね受け部を介して施錠バーを突出方向に付勢する付勢部材であるバー付勢ばねを外嵌させるとともに、施錠バーの所定位置に被係止部を形成し、ホールド部材に、施錠バーの前記被係止部に係合して施錠バーを後退位置で固定するストッパ部と、前記コイルばねの基端部を受け止める傾斜規制部とを設け、前記ホールド部材に解除レバーを取り付けるとともに、前記ケースに前記傾斜規制部の先端部を受け止めて後退を規制するばね受部を設けることにより、バー付勢ばねのばね力により前記傾斜規制部を介してストッパ部を被係止部に係合する方向に揺動付勢するように構成したものである。
【発明の効果】
【０００９】
請求項１記載の発明によれば、仮施錠状態の開閉扉を開ける場合に、ハンドルをケースから引出すことにより、施錠バーを後退させて穴部から離脱させ、開閉扉を開放する。また開放状態では、ホールド部材により施錠バーが後退位置でロックされており、開閉扉を閉じる場合、開閉扉を閉動して解除部材が開口枠に当接することによりホールド部材を作動して施錠バーを解放し、付勢部材により施錠バーを突出させて穴部に嵌合させ、仮施錠することができる。したがって、開放動作はハンドルを引出しつつ開閉扉を開動する一つの動作でおこなうことができ、また閉動動作は開閉扉を閉動して開口枠に嵌め込む一つの動作だけで行うことができ、開閉扉を容易かつ迅速に開け閉めすることができる。
【００１０】
請求項２記載の発明によれば、開閉扉を閉じる時に、ケースの後面に設けられた解除レバーにより、開口枠に当接させることで、ホールド部材を確実に作動させることができる。
【００１１】
請求項３記載の発明によれば、把手部をつかんで施錠レバーを後退させることにより、開閉扉の内側から平面ハンドル装置を容易に操作することができる。
請求項４記載の発明によれば、バー付勢ばねにより施錠バーの突出付勢とホールド部材の傾動付勢を行うので、構造を簡素化することができる。
【発明を実施するための最良の形態】
【００１２】
［実施の形態１］
以下、本発明の実施の形態を図面に基づいて説明する。
この平面ハンドル装置１は、図６に示すように、点検用や配電用等のボックス（または点検室や配電室）Ｂの開口枠Ｂｆにヒンジなどを介して開閉自在に設けられた開閉扉Ｇに装着されるもので、ハンドル６により後退可能なラッチバー（施錠バー）７を具備し、一つの動作で開閉扉Ｇを開放しまたは閉止できるように操作性を向上させたものである。
【００１３】
すなわち、図１〜図５に示すように、開閉扉Ｇを開動する時には、開閉扉Ｇのケース３の前面凹部４に収納されたハンドル６を引出して開閉扉Ｇを開く一つの動作で、ラッチバー７を後退させて開口枠Ｂｆに取付けられたロック部材Ｂｒの穴部Ｂｈから離脱させ、開閉扉Ｇを開放することができる。また閉鎖する時には、開閉扉Ｇを閉じる一つの動作により、解除レバー（解除部材）１５を開口枠Ｂｆの受圧部Ｂｐに当接させて後退位置でロックされたラッチバー７を解放し、突出させて先端部７ａを穴部Ｂｈに嵌合させて開閉扉Ｇを仮施錠することができる。
【００１４】
以下、詳細に説明する。
開閉扉Ｇの装着窓Ｇｗに装着具２を介して取り付けられるケース３は、前面凹部４を有するケース本体３Ａと、ケース本体３Ａの後面にビスを介して取り付けられたケースカバー３Ｂとで構成されている。そして、ケース本体３Ａの前面凹部４には、固定端部が垂直軸（支軸）５を介して回動自在に支持されたハンドル６が引出し自在に収納されている。このハンドル６の固定端部には、ラッチバー７を引き下げるための二股状のアーム部６ａが後面側に突出され、また垂直軸５に外嵌されたハンドル付勢ばね５ａにより収納方向（反引出し方向）に回動付勢されている。さらに前面凹部４にハンドル６の収納限を規制する受けブロック４ａが突設されている。そしてハンドル６の前面には、ロックキー８を収容するキー収容穴６ｂが形成され、このロックキー８は、キーを差込んで施錠軸８ｂを１８０°反転させることにより施錠片８ａを突出させてハンドル６の引出しを規制し完全施錠することができる。
【００１５】
ケースカバー３Ｂには、左右側面に形成された貫通穴３ｃ，３ｄを介してラッチバー７がスライド自在に配置され、その先端部７ａ（図で左端部）がボックスＢの開口枠Ｂｆに設けられたロック部材Ｂｒの穴部Ｂｈに嵌合離脱可能に構成されている。前記ラッチバー７は、中間部に段部（ばね受け部）７ｂを介して先端部７ａ側の大径部７ｃと基端側の小径部７ｄが形成されており、大径部７ｃには、先端部７ａから基端側に、ケースカバー３Ｂの内面に当接してラッチバー７の突出限となる止め輪（規制部材）７ｅと、前記アーム部６ａが当接される受ロッド（受動部）７ｆと、全周にわたって形成されたラッチ溝（被係止部）７ｇとが設けられている。また小径部７ｄには、前記段部７ｂを介してラッチバー７を先端側に付勢するバー付勢ばね（付勢部材）９と、前記ラッチ溝７ｇを介してラッチバー７を後退位置でロックするホールド部材１１と、ケースカバー３Ｂから露出する部位で外周面が凹状に縮径された把手部７ｈとが設けられている。これにより、ラッチバー７は、バー付勢ばね９により段部７ｂを介して突出方向に付勢されるとともに止め輪７ｅにより突出が規制される。また前記把手部７ｈにより、ボックスＢ内からこの把手部７ｈを掴んでラッチバー７を引出して仮施錠を解除操作することができる。
【００１６】
前記ホールド部材１１は、先端側のラッチ部１２後部と基端側の傾斜規制部１３後部が連結板１４を介して連結された平面視がコの字形に形成されており、前記ラッチ部１２には大径部７ｃにスライド自在に遊嵌してラッチ溝７ｇに係脱自在なラッチ穴（ストッパ部）１２ａが形成されている。前記傾斜規制部１３は前記段部７ｂとの間でバー付勢用ばね９を規制するもので、図４に示すように、小径部７ｄにのみスライド自在に外嵌するガイド穴１３ａが形成されている。また傾斜規制部１３は、連結板１４に対して９０°を越えた鈍角α°たとえば１０５〜１４０°で拡開方向に傾斜されるとともに、傾斜規制部１３の端部がケース本体３Ａに突設されたばね受け部３ｅに当接されている。これによりホールド部材１１の後退方向の移動が規制され、バー付勢ばね９の反力受けとなってラッチバー７を先端側に付勢し、かつばね受け部３ｅとの当接部を中心にホールド部材１１を矢印ａ方向に揺動付勢してラッチ穴１２ａがラッチ溝７ｇに係合する後面側に揺動付勢している。したがって、バー付勢ばね９はラッチバー７の突出付勢とホールド部材１１の揺動付勢とを兼用しており、ラッチバー７が後退されると、ホールド部材１１が矢印ａ方向に揺動されて、ラッチ穴１２ａがラッチ溝７ｇに係合されることになる。
【００１７】
さらに、ケースカバー３Ｂの後面に形成された連通窓３ｆを介して、前記連結板１４の突部と解除レバー１５の固定端がビス止めされている。この解除レバー１５は、遊端部がラッチバー７の先端部７ａの後方近傍まで伸び、この遊端部の後面には、開口枠Ｂｆの受圧部Ｂｐに当接する当接部材１６が、ダブルナットとばねからなる位置調整機構１７を介して位置調整自在に取付けられている。
【００１８】
上記構成において、開閉扉Ｇの開放する時に、ハンドル６を前面凹部４から前方に引出すと、アーム部６ａにより受ロッド７ｆを介してラッチバー７が後退され、ラッチバー７の先端部７ａが開口枠Ｂｆの穴部Ｂｈから離脱される。そして開閉扉Ｇが開動されるとともに、ラッチバー７のラッチ溝７ｇがラッチ穴１２ａに達すると、バー付勢ばね９によりホールド部材１１が後方に揺動されて、ラッチ穴１２ａの縁部がラッチ溝７ｇに係合され、後退位置でラッチバ７ーがロックされる。開放後にハンドル６から手がはなれると、ハンドル６はハンドル付勢ばね５ａにより元の姿勢に復帰されて前面凹部４内に収納される。
【００１９】
また開閉扉Ｇを閉じる時に、手動で開閉扉Ｇが閉動されて開放枠Ｂｆ内にはめ込まれると、当接部材１６が開口枠Ｂｆの受け面Ｂｐに当接して解除レバー１５の遊端部が前方に押され、ホールド部材１１が前方に揺動されてラッチ穴１２ａがラッチ溝７ｇから離脱される。これによりラッチバー７のロックが解除され、バー付勢ばね９によりラッチバー７が突出されて先端部７ａが穴部Ｂｈに嵌合され開閉扉Ｇが仮施錠される。
【００２０】
ところで、従来の平面ハンドル装置では、ケースを開閉扉に取り付ける場合、ケースの後面側を嵌め込む装着窓とビス穴とをそれぞれ開閉扉に形成しておき、前面からケースを装着窓に嵌め込んで、後面から固定部材を介してビス止めするのが通例である。このような取付方法では、開閉扉の加工と平面ハンドル装置の取付作業に時間がかかるという問題を有している。また、開口窓は位置調整分の余裕（遊び）を有するように形成しておき、取付後に位置調整し固定する。しかしながら、開閉頻度が多い場合など開閉扉Ｇの位置ずれが発生すると、平面ハンドル装置の再調整が必要となる。
【００２１】
この問題を解決するために、本実施の形態では、ケース３の取付具として、図７〜図１０に示すばね線材製でコの字形の装着具２が採用されている。
すなわち、この装着具２は、開閉扉Ｇの縁部側（ラッチバー先端側）で中間部が切り欠かれた短辺２ｄ，２ｄの両先端部が内側に折り曲げて形成された２つの係止突起２ａ，２ａと、上辺および下辺で中間部が互いに接近する弓形の挟圧辺２ｂ，２ｂと、開閉扉Ｇの奥側（ラッチバー先端側）で中間部が内側に突出する弓形の係止辺２ｃとで構成されている。また一方、ケース本体３Ａの後部側には、係止突起２ａがそれぞれ係止される取付用切欠部３ｇが形成されるとともに、係止辺２ｃが嵌合する取付溝３ｈが形成されている。そして、挟圧辺２ｂ，２ｂ間の幅はケースカバー３Ｂの上下幅より幾分小さく形成され、また短辺２ｄ，２ｄと係止辺２ｃ間の幅も取付用切欠部３ｇと取付溝３ｈの距離より幾分小さく形成されている。
【００２２】
したがって、ケース３を正面から装着窓Ｇｗに嵌入した後、後面側からまず装着具２の２つの係止突起２ａを取付用切欠部３ｇにそれぞれ嵌合させ、次いで挟圧辺２ｂ，２ｂを拡開しつつ短辺２ｄを中心に装着具２を装着方向に回動させてケースカバー３Ｂの上下面に外嵌させ、さらに係止辺２ｃを拡開しつつ取付溝３ｈに嵌め込むことにより、ケース３を開閉扉Ｇに短時間に取り付けることができる。
【００２３】
このように、２辺の挟圧辺２ｂ，２ｂと、係止突起２ａ，２ａおよび係止辺２ｃとによりケース３の周囲四辺が挟持されるとともに、装着具２の四隅で装着窓Ｇｗの外側に拡張された加圧コーナー部２ｅが開閉扉Ｇの板材に圧接されることで、ハンドル６やラッチバー７によりケース３に負荷される上下方向および左右方向の押し引きモーメントを効果的に支持することができる。また前記取付溝３ｈの後側面が奥側前方に傾斜する傾斜面に形成されることで、係止辺２ｃを奥側に案内して係止辺２ｃとケース本体３Ａとで開閉扉Ｇの板材を挟み込みケース１を強固に開閉扉Ｇに固定することができる。さらに装着窓Ｇｗは所定の余裕（遊び）を有して形成されているため、ケース３が開閉扉Ｇの板材の面上で所定範囲で位置ずれが可能となっている。
【００２４】
したがって、開閉扉Ｇの位置ずれした場合などにも、ラッチバー７が穴部Ｂｈに嵌入されることでケース３が開閉扉Ｇの板材の面に沿って従動されるので、ラッチバー７と穴部Ｂｈとの位置を再調整する必要がない。また開閉扉Ｇには、固定用のビス穴も不要で装着窓Ｇｗだけの加工ですむ。これにより、平面ハンドル装置１を開閉扉Ｇに短時間で取り付けることができ、取付のための加工や再調整の手間も削減できる。
【００２５】
上記実施の形態によれば、開閉扉Ｇを開ける時に、ハンドル６をケース３の前面凹部４から引出すことにより、バー付勢ばね９に抗してラッチバー７を後退させて開口枠Ｂｆの穴部Ｂｈから離脱させ、開閉扉Ｇを開放することができる。また開放状態でラッチバー７はホールド部材１１により後退位置でロックされているが、開閉扉Ｇを閉じる時に、解除レバー１５によりホールド部材１１を作動してラッチバー７を解放し、バー付勢ばね９によりラッチバー７を突出させて穴部Ｂｈに係合させることができる。したがって、ハンドル６を引出しつつ開閉扉Ｇを開動する一つの動作で開閉扉Ｇを開けることができ、また開閉扉Ｇを閉動する一つの動作で開閉扉Ｇを閉じて仮施錠することができ、平面ハンドル装置１の操作性をさらに向上させることができる。
【００２６】
また人が出入するような大型のボックスＢの開閉扉Ｇの場合、ボックスＢ内から把手部７ｈをつかんでラッチレバー７を後退させることにより、開閉扉Ｇの仮施錠を内側から解除操作して容易開放することができる。
【００２７】
さらに、ラッチバー７を突出付勢するバー付勢ばね９を利用して、ホールド部材１１を揺動付勢するように構成したので、ホールド部材１１を揺動付勢するための付勢部材が不要となり、内部構造を簡略化することができる。
【図面の簡単な説明】
【００２８】
【図１】本発明に係る平面ハンドル装置の実施の形態を示す平面断面図である。
【図２】図１に示すＡ−Ａ断面図である。
【図３】同平面ハンドル装置の仮施錠の解除状態を示す平面断面図である。
【図４】図３に示すホールド部材周辺の拡大図である。
【図５】同平面ハンドル装置の分解斜視図である。
【図６】同平面ハンドル装置の装着状態を示す正面側斜視図である。
【図７】同平面ハンドル装置の装着具を示す背面図である。
【図８】同平面ハンドル装置の装着状態を示す背面図である。
【図９】同平面ハンドル装置の背面側左上方斜視図である。
【図１０】同平面ハンドル装置の背面側右上方斜視図である。
【符号の説明】
【００２９】
Ｂ    ボックス
Ｂｆ  開口枠
Ｂｈ  ロック穴
Ｂｐ  受圧部
Ｇ    開閉扉
Ｇｗ  装着窓
１    平面ハンドル装置
２    装着具
２ａ  係合突起
２ｂ  挟圧辺
２ｃ  係止辺
２ｄ  短辺
２ｅ  加圧コーナー部
３    ケース
３Ａ  ケース本体
３Ｂ  ケースカバー
３ｅ  ばね受け部
３ｇ  取付用切欠部
３ｈ  取付溝
４    前面凹部
５    垂直軸
６    ハンドル
６ａ  アーム部
６ｂ  キー収容穴
７    ラッチバー
７ｂ  段部
７ｅ  止め輪
７ｆ  受けロッド
７ｇ  ラッチ溝
８    ロックキー
９    バー付勢ばね
１１    ホールド部材
１２ａ  ラッチ穴
１３    傾斜規制部
１３ａ  ガイド穴
１５    解除レバー
１６    当接部材
１７    位置調整機構
【図１】
2007046251.tif 000003
【図２】
2007046251.tif 000004
【図３】
2007046251.tif 000005
【図４】
2007046251.tif 000006
【図５】
2007046251.tif 000007
【図６】
2007046251.tif 000008
【図７】
2007046251.tif 000009
【図８】
2007046251.tif 000010
【図９】
2007046251.tif 000011
【図１０】
2007046251.tif 000012